【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
ワイヤレス通信システムにおける信号送信のための適応型波形選択のための方法であって、
前記ワイヤレス通信システムのワイヤレスデバイスによって、ランダムアクセス手順に関連付けられたワイヤレス通信の少なくとも1つの属性を分析するステップであって、前記少なくとも1つの属性は、ブロードキャストダウンリンクメッセージに存在するシステム情報、ランダムアクセス応答メッセージにおける情報、最初のアクセスに使用される物理ランダムアクセスチャネル(PRACH)シーケンス、および前記ワイヤレスデバイスによって行われた測定のうちの少なくとも1つを含む、ステップと、
前記ランダムアクセス手順に関連付けられた、少なくとも1つのアップリンクランダムアクセスメッセージ送信に使用する波形を決定するステップであって、
前記決定は、前記分析された少なくとも1つの属性に基づいており、
前記波形は、アップリンク信号送信のための複数の波形からのものであり、
前記少なくとも1つのアップリンクランダムアクセスメッセージは、ランダムアクセス応答メッセージを受信した後に送信される第3のメッセージを含み、
前記少なくとも1つのアップリンクランダムアクセスメッセージ送信に使用する前記波形を決定することは、前記第3のメッセージに使用する波形を決定することを含み、
前記複数の波形は、シングルキャリア周波数分割多重(SC-FDM)波形設計および直交周波数分割多重(OFDM)波形設計を含む、ステップと
を含む方法。
【請求項２】
前記ワイヤレスデバイスによって、ワイヤレス通信スケジューリング許可の複数のパラメータを分析するステップと、
前記分析によって識別された前記ワイヤレス通信スケジューリング許可の前記複数の許可パラメータの属性の特定の組合せに基づいて、前記アップリンク信号送信のために前記複数の波形から波形を選択するステップであって、
前記アップリンク信号送信のために前記波形を選択することが、前記ワイヤレスデバイスがデータ送信のための波形選択の明示的なシグナリングを受信していない状態で、前記アップリンク信号送信のために前記波形を選択することを含む、ステップと
をさらに含む、請求項1に記載の方法。
【請求項３】
固定波形ダウンリンク制御チャネルを介して前記ワイヤレス通信スケジューリング許可を受信するステップと、
前記ワイヤレス通信スケジューリング許可に含まれるデータ送信のための波形選択のシグナリングを使用して、アップリンク信号送信のために前記複数の波形から前記波形を選択するステップと
をさらに含む、請求項2に記載の方法。
【請求項４】
前記ワイヤレス通信スケジューリング許可に含まれるデータ送信のための波形選択のシグナリングを使用して、アップリンク信号送信のために前記複数の波形から前記波形を選択するステップと、
固定波形を介して前記ランダムアクセス応答メッセージを提供するステップと
をさらに含む、請求項2に記載の方法。
【請求項５】
前記ワイヤレス通信スケジューリング許可の前記複数のパラメータは、
前記波形を選択するために、前記ワイヤレス通信スケジューリング許可の1つまたは複数のパラメータとして、
前記信号送信のためのコンポーネントキャリアの数、コンポーネントキャリアに対して使用される変調次数、前記コンポーネントキャリアに対して使用される空間レイヤの数、または前記信号送信のためのコンポーネントキャリアに対する変調およびコーディングフォーマットのスペクトル効率
のうちの少なくとも1つを含む、請求項2に記載の方法。
【請求項６】
前記複数の波形は、シングルキャリア周波数分割多重(SC-FDM)波形設計および直交周波数分割多重(OFDM)波形設計を含み、
前記分析によって識別された前記ワイヤレス通信スケジューリング許可の前記複数の許可パラメータの属性の前記特定の組合せがしきい値を少なくとも満たすと判断されたときに、前記OFDM波形設計を選択するステップと、
前記分析によって識別された前記ワイヤレス通信スケジューリング許可の前記複数の許可パラメータの属性の前記特定の組合せがパラメータのしきい値よりも低いと判断されたときに、前記SC-FDM波形設計を選択するステップと
をさらに含む、請求項2に記載の方法。
【請求項７】
許可パラメータと前記複数の波形のうちの波形との間のマッピングを使用して、前記複数の許可パラメータの属性の前記特定の組合せを波形選択情報と比較するステップ
をさらに含む、請求項2に記載の方法。
【請求項８】
システム情報メッセージ中または構成メッセージ中の信号を使用して、許可パラメータと前記複数の波形のうちの波形との間の前記マッピングを更新するステップ
をさらに含む、請求項7に記載の方法。
【請求項９】
前記選択された波形と前記ワイヤレス通信スケジューリング許可の前記複数の許可パラメータの属性の前記特定の組合せとの組合せが無効であると判断するステップと、
前記ワイヤレス通信スケジューリング許可を拒否するステップと
をさらに含む、請求項2に記載の方法。
【請求項１０】
ランダムアクセス応答メッセージを受信した後に行われる前記少なくとも1つのアップリンクランダムアクセスメッセージ送信に使用される前記波形は固定されている、請求項1に記載の方法。
【請求項１１】
前記ランダムアクセス手順において使用される波形を識別するために、前記複数の波形のうちの異なる波形を使用して、ランダムアクセス手順受信メッセージを複数回処理するステップ
をさらに含む、請求項1に記載の方法。
【請求項１２】
ワイヤレス通信システムにおける信号送信のための適応型波形選択のための装置であって、
少なくとも1つのプロセッサと、
前記少なくとも1つのプロセッサに結合されたメモリと、
前記少なくとも1つのプロセッサに結合された通信インターフェースと
を備え、前記少なくとも1つのプロセッサは、
ランダムアクセス手順に関連付けられたワイヤレス通信の少なくとも1つの属性を分析することであって、前記少なくとも1つの属性は、ブロードキャストダウンリンクメッセージに存在するシステム情報、ランダムアクセス応答メッセージにおける情報、最初のアクセスに使用される物理ランダムアクセスチャネル(PRACH)シーケンス、およびワイヤレスデバイスによって行われた測定のうちの少なくとも1つを含む、分析することと、
前記ランダムアクセス手順に関連付けられた、少なくとも1つのアップリンクランダムアクセスメッセージ送信に使用する波形を決定することであって、
前記決定は、前記分析された少なくとも1つの属性に基づいており、
前記波形は、アップリンク信号送信のための複数の波形からのものであり、
前記少なくとも1つのアップリンクランダムアクセスメッセージは、ランダムアクセス応答メッセージを受信した後に送信される第3のメッセージを含み、
前記少なくとも1つのアップリンクランダムアクセスメッセージ送信に使用する前記波形を決定することは、前記第3のメッセージに使用する波形を決定することを含み、
前記複数の波形は、シングルキャリア周波数分割多重(SC-FDM)波形設計および直交周波数分割多重(OFDM)波形設計を含む、決定することと
を行うように構成される、装置。
【請求項１３】
前記少なくとも1つのプロセッサは、
ワイヤレス通信スケジューリング許可の複数のパラメータを分析することと、
前記ワイヤレスデバイスがデータ送信のための波形選択の明示的なシグナリングを受信していない状態で、前記分析によって識別された前記ワイヤレス通信スケジューリング許可の前記複数の許可パラメータの属性の特定の組合せに基づいて、アップリンク信号送信のために前記複数の波形から波形を選択すること
を行うように構成される、請求項12に記載の装置。
【請求項１４】
前記少なくとも1つのプロセッサは、
固定波形ダウンリンク制御チャネルを介して前記ワイヤレス通信スケジューリング許可を受信することと、
前記ワイヤレス通信スケジューリング許可に含まれるデータ送信のための波形選択のシグナリングを使用して、アップリンク信号送信のために前記複数の波形から前記波形を選択することと
を行うように構成される、請求項13に記載の装置。
【請求項１５】
前記少なくとも1つのプロセッサは、
前記ワイヤレス通信スケジューリング許可に含まれるデータ送信のための波形選択のシグナリングを使用して、アップリンク信号送信のために前記複数の波形から前記波形を選択することと、
固定波形を介して前記ランダムアクセス応答メッセージを提供することと
を行うように構成される、請求項13に記載の装置。
【請求項１６】
前記ワイヤレス通信スケジューリング許可の前記複数のパラメータは、
前記波形を選択するために、前記ワイヤレス通信スケジューリング許可の1つまたは複数のパラメータとして、
前記信号送信のためのコンポーネントキャリアの数、コンポーネントキャリアに対して使用される変調次数、前記コンポーネントキャリアに対して使用される空間レイヤの数、ならびに前記信号送信のためのコンポーネントキャリアに対する変調およびコーディングフォーマットのスペクトル効率
のうちの少なくとも1つを含む、請求項13に記載の装置。
【請求項１７】
前記複数の波形は、シングルキャリア周波数分割多重(SC-FDM)波形設計および直交周波数分割多重(OFDM)波形設計を含み、
前記少なくとも1つのプロセッサは、
前記分析によって識別された前記ワイヤレス通信スケジューリング許可の前記複数の許可パラメータの属性の前記特定の組合せがしきい値を少なくとも満たすと判断されたときに、前記OFDM波形設計を選択することと、
前記分析によって識別された前記ワイヤレス通信スケジューリング許可の前記複数の許可パラメータの属性の前記特定の組合せがしきい値よりも低いと判断されたときに、前記SC-FDM波形設計を選択することと
を行うように構成される、請求項13に記載の装置。
【請求項１８】
前記少なくとも1つのプロセッサは、
許可パラメータと前記複数の波形のうちの波形との間のマッピングを使用して、前記複数の許可パラメータの属性の前記特定の組合せを波形選択情報と比較すること
を行うように構成される、請求項13に記載の装置。
【請求項１９】
前記少なくとも1つのプロセッサは、
システム情報メッセージ中または構成メッセージ中の信号を使用して、許可パラメータと前記複数の波形のうちの波形との間の前記マッピングを更新すること
を行うように構成される、請求項18に記載の装置。
【請求項２０】
前記少なくとも1つのプロセッサは、
選択された波形とワイヤレス通信スケジューリング許可の前記複数の許可パラメータの属性の特定の組合せとの組合せが無効であると判断することと、
前記ワイヤレス通信スケジューリング許可を拒否することと
を行うように構成される、請求項12に記載の装置。
【請求項２１】
ランダムアクセス応答メッセージを受信した後に行われる前記少なくとも1つのアップリンクランダムアクセスメッセージ送信に使用される前記波形は固定されている、請求項12に記載の装置。
【請求項２２】
前記少なくとも1つのプロセッサは、
前記ランダムアクセス手順において使用される波形を識別するために、前記複数の波形のうちの異なる波形を使用して、ランダムアクセス手順受信メッセージを複数回処理すること
を行うように構成される、請求項21に記載の装置。
【請求項２３】
ワイヤレス通信システムにおける信号送信のための適応型波形選択のためのプログラムコードを記録した非一時的コンピュータ可読記録媒体であって、前記プログラムコードは、
ランダムアクセス手順に関連付けられたワイヤレス通信の少なくとも1つの属性を分析することであって、前記少なくとも1つの属性は、ブロードキャストダウンリンクメッセージに存在するシステム情報、ランダムアクセス応答メッセージにおける情報、最初のアクセスに使用される物理ランダムアクセスチャネル(PRACH)シーケンス、およびワイヤレスデバイスによって行われた測定のうちの少なくとも1つを含む、分析することと、
前記ランダムアクセス手順に関連付けられた、少なくとも1つのアップリンクランダムアクセスメッセージ送信に使用する波形を決定することであって、
前記決定は、前記分析された少なくとも1つの属性に基づいており、
前記波形は、アップリンク信号送信のための複数の波形からのものであり、
前記少なくとも1つのアップリンクランダムアクセスメッセージは、ランダムアクセス応答メッセージを受信した後に送信される第3のメッセージを含み、
前記少なくとも1つのアップリンクランダムアクセスメッセージ送信に使用する前記波形を決定することは、前記第3のメッセージに使用する波形を決定することを含み、
前記複数の波形は、シングルキャリア周波数分割多重(SC-FDM)波形設計および直交周波数分割多重(OFDM)波形設計を含む、決定すること
を1つまたは複数のコンピュータに行わせるためのプログラムコードを含む、非一時的コンピュータ可読記録媒体。
【請求項２４】
前記プログラムコードは、
前記信号送信のためのコンポーネントキャリアの数、コンポーネントキャリアに対して使用される変調次数、前記コンポーネントキャリアに対して使用される空間レイヤの数、ならびに前記信号送信のためのコンポーネントキャリアに対する変調およびコーディングフォーマットのスペクトル効率
のうちの少なくとも1つを含む、ワイヤレス通信スケジューリング許可の複数のパラメータを分析すること
を1つまたは複数のコンピュータに行わせるためのプログラムコードを含む、請求項23に記載の非一時的コンピュータ可読記録媒体。
【請求項２５】
前記プログラムコードは、
前記分析によって識別された前記ワイヤレス通信スケジューリング許可の前記複数の許可パラメータの属性の特定の組合せがしきい値を超えると判断されたときに、アップリンク信号送信のための前記複数の波形の前記OFDM波形設計を選択することと、
前記分析によって識別された前記ワイヤレス通信スケジューリング許可の前記複数の許可パラメータの属性の前記特定の組合せがしきい値よりも低いと判断されたときに、アップリンク信号送信のための前記複数の波形の前記SC-FDM波形設計を選択することと
を1つまたは複数のコンピュータに行わせるためのプログラムコードを含む、請求項24に記載の非一時的コンピュータ可読記録媒体。